(57)【要約】【課題】従来の音楽データ記録再生装置は、ＣＤ等の可搬性記録媒体からリッピングする際、非圧縮データを記録しないで圧縮されたデータのみを記録するので、ＨＤＤの空き容量が少なくなり記録できない場合が生じた場合、圧縮率を適切に変更して記録することができないという問題があった。【解決手段】本発明の音楽データ記録再生装置は、音楽データを記録、再生することのできる音楽データ記録再生装置１において、音楽データがデジタル信号として入力されるＣＤプレイヤモジュール６と、ＣＤプレイヤモジュール６からの前記音楽データを信号処理するＣＤ信号処理部７と、ＣＤ信号処理部７で処理された処理信号を圧縮しないで非圧縮音楽データファイルＦｏとしてＨＤＤ４に記録する記録手段と、ＨＤＤ４の空き容量に応じて圧縮率を変えて圧縮し圧縮音楽データファイルＦｃとして記録する記録手段を備える。【選択図】図１
2007149165.tif 000002
【特許請求の範囲】
【請求項１】
音楽データを記録、再生することのできる音楽データ記録再生装置において、
前記音楽データを信号処理する信号処理部と、
前記信号処理部で処理された処理信号を所定の圧縮率で圧縮して記録媒体に記録する記録手段と、
前記記録媒体の空き容量に応じて前記圧縮率を変更する手段
を備えたことを特徴とする音楽データ記録再生装置。
【請求項２】
音楽データを記録、再生することのできる音楽データ記録再生装置において、
前記音楽データを信号処理する信号処理部と、
前記信号処理部で処理された処理信号を圧縮しないで非圧縮音楽データとして記録媒体に記録する記録手段と、
前記記録媒体の空き容量に応じて圧縮率を変え前記非圧縮音楽データを基に圧縮した圧縮音楽データを前記記録媒体に記録する記録手段
を備えたことを特徴とする音楽データ記録再生装置。
【請求項３】
前記記録媒体の容量が不足して前記非圧縮音楽データが前記記録媒体に記録できないとき、前記記録媒体が容量不足の状態であることを表示する表示手段を備えたことを特徴とする請求項２に記載の音楽データ記録再生装置。
【請求項４】
前記圧縮率が変更されたとき、圧縮率が変更されたことを表示する表示手段を備えたことを特徴とする請求項１乃至請求項３のいずれか一項に記載の音楽データ記録再生装置。
【請求項５】
記録可能な圧縮率に前記圧縮率が変更できないとき、圧縮率が変更できない旨の表示をする表示手段を備えたことを特徴とする請求項１乃至請求項３のいずれか一項に記載の音楽データ記録再生装置。
【請求項６】
音楽データを記録、再生することのできる音楽データ記録再生装置の音楽データ記録再生方法において、
前記音楽データを信号処理し、
該処理された前記音楽データの処理信号を記録媒体の空き容量に応じた圧縮率で圧縮して前記記録媒体に記録することを特徴とする音楽データ記録再生方法。
【請求項７】
音楽データを記録、再生することのできる音楽データ記録再生装置の音楽データ記録再生方法において、
前記音楽データを信号処理し、
該処理された前記音楽データの処理信号を圧縮しないで非圧縮音楽データとして記録媒体に記録し、
前記記録媒体の空き容量に応じて圧縮率を変え前記非圧縮音楽データを基に圧縮した圧縮音楽データを前記記録媒体に記録することを特徴とする音楽データ記録再生方法。
【請求項８】
前記記録媒体の容量が不足して前記非圧縮音楽データが前記記録媒体に記録できないとき、前記記録媒体が容量不足の状態であることを表示することを特徴とする請求項６、又は請求項７に記載の音楽データ記録再生方法。
【請求項９】
前記圧縮率が変更されたとき、圧縮率が変更されたことを表示することを特徴とする請求項６乃至請求項８のいずれか一項に記載の音楽データ記録再生方法。
【請求項１０】
記録可能な圧縮率に前記圧縮率が変更できないとき、圧縮率が変更できない旨の表示をすることを特徴とする請求項６乃至請求項８のいずれか一項に記載の音楽データ記録再生方法。
【発明の詳細な説明】
【技術分野】
【０００１】
本発明は、音楽データ記録再生装置、及びその音楽データ記録再生方法に係り、特にＣＤ（コンパクトデスク）、ＭＤ（ミニデスク）、ＡＭ／ＦＭチューナーなどの音楽再生手段で再生した音楽データを、非圧縮データ及び圧縮データとして内部記録装置に記録して利用することにより、高品質な音楽再生が行えると共に適切な圧縮率で圧縮した圧縮データを記録し、また、外部オーディオ機器に圧縮データを高速に転送することができる音楽データ記録再生装置、及びその音楽データ記録再生方法に関する。
【背景技術】
【０００２】
現在、音楽を楽しむための多くのオーディオ機器が市販され、ユーザは各種メディアに記録された音楽データを再生し、或いは通信網を介して音楽データをダウンロードして再生することができるようになっている。また、ＣＤ、ＭＤなどの音楽データ記録メディアや、インターネットを介してダウンロードした音楽データを一旦ユーザ所有のオーディオ機器の内部記録装置に記録させ、該記録した音楽データを内部記録装置から好きなタイミングで読み出して音楽を楽しんだり、音楽再生携帯端末装置などに転送記録して、屋外で音楽を楽しんだりすることができるようになった。この場合、一旦内部記録装置に記録させれば、元の音楽データ記録メディアなどからフリーの状態になり、また、多量に記録した音楽データを編集し、ジャンル別に分類したり再生順序の編集なども自由に行えるなど便利な使い方ができる。
【０００３】
このような音楽データ記録再生装置の従来技術として、特開２００４−４６９５９号公報に開示されたものがある。
この従来技術は、ＣＤ等の可搬性記録媒体からリッピングされたデジタル音楽データや、外部サーバ等との通信によりダウンロードされたデジタル音楽データが、音量、音質が加工された上で圧縮データ状態で内部のハードデスク（以下ＨＤＤという）に記録される。このＨＤＤに記録された音楽データは、ユーザの好みの時間に伸長されて再生される。またＨＤＤに記録されたデータは、他の記録媒体（二次記録媒体）に記録し、その二次記録媒体側で音楽等の再生を楽しむことができる。
【特許文献１】特開２００４−４６９５９号公報
【発明の開示】
【発明が解決しようとする課題】
【０００４】
しかしながら、上記従来技術の音楽データ記録再生装置は、ＣＤ等の可搬性記録媒体からリッピングする際、非圧縮データを記録しないで圧縮されたデータのみを記録するので、ＨＤＤの空き容量が少なくなり記録できない場合が生じた場合、圧縮率を適切に変更して記録することができないという問題があった。
【０００５】
本発明の目的は、上記問題点に鑑み、ＨＤＤなどの記録媒体の空き容量が少なくなった場合に、圧縮データの圧縮率を適切に変更して記録することができる音楽データ記録再生装置を提供することにある。
【課題を解決するための手段】
【０００６】
本発明の要旨は、音楽データを記録、再生することのできる音楽データ記録再生装置において、前記音楽データを信号処理する信号処理部と、前記信号処理部で処理された処理信号を所定の圧縮率で圧縮して記録媒体に記録する記録手段と、前記記録媒体の空き容量に応じて前記圧縮率を変更する手段を備えたことを特徴とする音楽データ記録再生装置に存する。
また、本発明の要旨は、音楽データを記録、再生することのできる音楽データ記録再生装置において、前記音楽データを信号処理する信号処理部と、前記信号処理部で処理された処理信号を圧縮しないで非圧縮音楽データとして記録媒体に記録する記録手段と、前記記録媒体の空き容量に応じて圧縮率を変え前記非圧縮音楽データを基に圧縮した圧縮音楽データを前記記録媒体に記録する記録手段を備えたことを特徴とする音楽データ記録再生装置に存する。
また、本発明の要旨は、前記記録媒体の容量が不足して前記非圧縮音楽データが前記記録媒体に記録できないとき、前記記録媒体が容量不足の状態であることを表示する表示手段を備えたことを特徴とする音楽データ記録再生装置に存する。
また、本発明の要旨は、前記圧縮率が変更されたとき、圧縮率が変更されたことを表示する表示手段を備えたことを特徴とする音楽データ記録再生装置に存する。
また、本発明の要旨は、記録可能な圧縮率に前記圧縮率が変更できないとき、圧縮率が変更できない旨の表示をする表示手段を備えたことを特徴とする音楽データ記録再生装置に存する。
また、本発明の要旨は、音楽データを記録、再生することのできる音楽データ記録再生装置の音楽データ記録再生方法において、前記音楽データを信号処理し、該処理された前記音楽データの処理信号を記録媒体の空き容量に応じた圧縮率で圧縮して前記記録媒体に記録することを特徴とする音楽データ記録再生方法に存する。
また、本発明の要旨は、音楽データを記録、再生することのできる音楽データ記録再生装置の音楽データ記録再生方法において、前記音楽データを信号処理し、該処理された前記音楽データの処理信号を圧縮しないで非圧縮音楽データとして記録媒体に記録し、前記記録媒体の空き容量に応じて圧縮率を変え前記非圧縮音楽データを基に圧縮した圧縮音楽データを前記記録媒体に記録することを特徴とする音楽データ記録再生方法に存する。
また、本発明の要旨は、前記記録媒体の容量が不足して前記非圧縮音楽データが前記記録媒体に記録できないとき、前記記録媒体が容量不足の状態であることを表示することを特徴とする音楽データ記録再生方法に存する。
また、本発明の要旨は、前記圧縮率が変更されたとき、圧縮率が変更されたことを表示することを特徴とする音楽データ記録再生方法に存する。
また、本発明の要旨は、記録可能な圧縮率に前記圧縮率が変更できないとき、圧縮率が変更できない旨の表示をすることを特徴とする音楽データ記録再生方法に存する。
【発明の効果】
【０００７】
本発明によれば、ＣＤ等の可搬性記録媒体からリッピングする際に、非圧縮音楽データを内部記録媒体の非圧縮音楽データ記録領域に記録し、空き時間を利用して、内部記録媒体に記録された非圧縮音楽データを基に空き容量をみながら適切な圧縮率の圧縮音楽データを作成して、再び内部記録媒体の圧縮音楽データ記録領域に記録する。したがって内部記録媒体に記録できる圧縮音楽データの数を増やすことができる。
【発明を実施するための最良の形態】
【０００８】
次に、本発明を実施するための最良の形態を、図面を参照して具体的に説明する。
（第１の実施の形態）
【０００９】
図１は本発明による音楽データ記録再生装置の第１実施の形態を示した図である。
１は本発明の音楽データ記録再生装置であり、ＣＤに記録された音楽データを再生及び記録することができ、また、記録された圧縮音楽データを外部オーディオ機器に転送することができる。また、２は音楽データ記録再生装置１から音楽データを転送して記録して再生することができる外部オーディオ機器であり、例えば携帯型のオーディオ機器である。
【００１０】
音楽データ記録再生装置１は、音楽データ記録再生装置１全体を制御するシステムマイコン３、内部記録装置であるハードディスク(ＨＤＤ)４、外部オーディオ機器２とのインターフェース部に設けられた外部機器接続インターフェース５、ＣＤに記録された音楽データを再生するＣＤプレーヤモジュール（音楽データ再生部）６、ＣＤプレーヤモジュール６からのデータを処理するＣＤ信号処理部７、ＣＤ信号処理部７からのディジタル信号をアナログ信号に変換するＤＡコンバータ８、ＤＡコンバータ８からのアナログ信号を入力し音質を調整する音質調整部９、音質調整部９からのアナログ信号を入力し音量を調整する音量調整部１０、音量調整部１０からのアナログ信号を入力し増幅する信号増幅部１１、信号増幅器１１からの信号により音楽を再生する拡声器、ヘッドフォン、イヤフォンなどのスピーカ１２、ＤＡコンバータ８のアナログ信号をディジタル信号に変換するＡＤコンバータ１３、ユーザ操作部２４、表示部２５などで構成されている。
【００１１】
また、システムマイコン３は、ＨＤＤ４へのデータ記録及びＨＤＤ４からデータ読み出しを行うＨＤＤ信号処理手段１８、ＨＤＤ信号処理手段１８からの圧縮データを非圧縮データに伸長する伸長手段１９、ＡＤコンバータ１３からのディジタル信号を圧縮してＨＤＤ信号処理手段１８に出力する圧縮手段２０などから構成されている。
【００１２】
また、ＨＤＤ４は、非圧縮音楽データを記録する非圧縮音楽データ記録領域Ａｏ、圧縮音楽データを記録する圧縮音楽データ記録領域Ａｃを有している。Ｆｏは非圧縮音楽データ記録領域Ａｏに記録された非圧縮音楽データファイル、Ｆｃは圧縮音楽データ記録領域Ａｃに記録された圧縮音楽データファイルを示している。非圧縮音楽データファイルＦｏ、圧縮音楽データファイルＦｃにはそれぞれ複数の楽曲が含まれていても良い。なお、図１には非圧縮音楽データ記録領域Ａｏ、圧縮音楽データ記録領域Ａｃには、非圧縮音楽データファイルＦｏ、圧縮音楽データファイルＦｃがそれぞれ１つしか図示されていないが、複数記録してもよいことは言うまでもない。
【００１３】
また、外部オーディオ機器２は、記録手段２１を有しており、音楽データ記録再生装置１から外部機器接続インターフェース５を通して転送されてきた圧縮音楽データファイルＦｃを圧縮音楽データファイルＦｃ’として記録する。記録手段２１は光、磁気記録再生装置（ＨＤＤ、ＭＤなど）、あるいは半導体メモリなどが使用される。外部オーディオ機器２は、音楽データ記録再生装置１以外からも音楽データを入力することができ、このデータが記録手段２１に音楽データファイルＦｐとして記録されている。
【００１４】
以下、図２乃至図７のフローチャートを参照しながら、第１実施の形態の音楽データ記録再生装置１の動作を説明する。
【００１５】
図２乃至図７の概略を説明すると、図２はＣＤプレーヤモジュール６で再生された音楽データをスピーカ１２で音声再生し、また、非圧縮音楽データとしてＨＤＤ４の非圧縮音楽データ記録領域Ａｏに記録させる動作を示している。
また、図３はＨＤＤ４の非圧縮音楽データ記録領域Ａｏに記録された非圧縮音楽データから圧縮音楽データを作成してＨＤＤ４の圧縮音楽データ記録領域Ａｃに記録する際に、ＨＤＤの空き容量に応じて圧縮率を変えて記録する動作を示している。
また、図４はＨＤＤ４の圧縮音楽データ記録領域Ａｃに記録された圧縮音楽データの圧縮方式を、後からユーザの好みに応じて変更して記録し直す場合の動作を示している。
また、図５はＨＤＤ４の非圧縮音楽データ記録領域Ａｏに記録された音楽データから高音質な音楽を再生する場合の動作を示している。
また、図６はＨＤＤ４の圧縮音楽データ記録領域Ａｃに記録された圧縮音楽データを外部オーディオ機器の圧縮音楽データ記録領域２３に転送して記録するときの動作を示している。
また、図７はＣＤプレーヤモジュール６で再生された音楽データを非圧縮音楽データとしてＨＤＤ４の非圧縮音楽データ記録領域Ａｏに記録させる際に、ＨＤＤの空き容量に応じて記録する動作を示している。
【００１６】
まず、図２を参照して、ＣＤプレーヤモジュール６で再生された音楽データをスピーカ１２で音声再生し、また、非圧縮音楽データとしてＨＤＤ４の非圧縮音楽データ記録領域Ａｏに記録させる動作の詳細を説明する。
【００１７】
ステップＳ１において、ＣＤプレーヤモジュール６にＣＤをセットして再生を開始する。このときＳＣＭＳの世代管理がチェックされ、記録禁止の場合はその旨を使用者に表示するとともに、以後の記録は行わず再生のみ行う。ＣＤプレーヤモジュール６で再生して出力されたデジタル信号の音楽データはＣＤ信号処理部７に入力される。このときＣＤプレーヤモジュール６で再生して出力されたデジタル信号の音楽データはＣＤ特有のＣＤフォーマットになっているので、このＣＤフォーマットに従ったデータ構成から連続したＰＣＭ（Pulse
Code Modulation）信号にＣＤ信号処理部７で変換処理される。
【００１８】
ステップＳ２では、ＣＤからの音楽を聴かずに、ＨＤＤに記録するのみである場合には（Ｙｅｓの場合）ステップＳ３に進み、ＣＤ内に収録された楽曲のうち選択されたものを順次再生しＨＤＤ４に記録する。この場合、ＣＤ信号処理部７で処理されＰＣＭ信号とされたＣＤの音楽データはＨＤＤ信号処理手段１８に出力され、データを圧縮しない非圧縮音楽データファイルＦｏとしてＨＤＤ４の非圧縮音楽データ記録領域Ａｏに記録される。スピーカ１０からは音声出力しないで、また再生も高速化してＨＤＤの非圧縮音楽データ記録領域Ａｏに非圧縮音楽データとして記録する。この場合、従来技術のようにＣＤプレーヤモジュール６からＨＤＤ４への記録は音声加工処理や圧縮処理を行わないので、高速に処理することができるのである。
【００１９】
ステップＳ２で、ＣＤプレーヤモジュール６からの音楽を聴きながらＨＤＤ４に音楽データを記録する場合（Ｎｏの場合）には、ステップＳ４に進む。なお、ステップＳ２における「ＨＤＤに記録のみか否か」の判断は、予め表示部２５に表示されたメニューからユーザ操作部２４を操作して選択、設定することができるようになっている。あるいはメニュー操作に変えてこれに対応した操作ボタンを設けておき、ユーザが選択できるようにしても良い。
【００２０】
ステップＳ４では、このＣＤプレーヤモジュール６から再生された音楽をスピーカ１２から再生すると同時に、ＨＤＤ４の非圧縮音楽データ記録領域Ａｏに非圧縮音楽データファイルＦｏとして記録をする。すなわち、ＣＤプレーヤモジュール６で再生して出力されたデジタル信号の音楽データはＣＤ信号処理部７に入力され、ＣＤフォーマットに従ったデータ構成から連続したＰＣＭ信号にＣＤ信号処理部７で変換処理される。このＣＤ信号処理部７から出力されたＰＣＭ信号はＤＡコンバータ８によってデジタル信号からアナログ信号に変換される。そしてＤＡコンバータ８から出力されたアナログ信号は音質調整部９で音質が調整され、音量調整部１０で音量が調整され、信号増幅部１１で信号増幅され、スピーカ１２から音響として出力される。一方ＣＤ信号処理部７で処理されＰＣＭ信号とされたＣＤの音楽データはＨＤＤ信号処理手段１８に出力され、データを圧縮しない非圧縮音楽データファイルＦｏとしてＨＤＤ４の非圧縮音楽データ記録領域Ａｏに記録される。
【００２１】
ステップＳ５において、スピーカからの音声再生を中止する操作がなされたかを監視する。この操作は、本装置全体を制御するマイクロコントローラ（システムマイコン３）が、ユーザ操作部２４からの音声再生中止の入力信号を監視するものである。
【００２２】
ステップＳ５で音声再生を中止する操作がなされた場合（Ｙｅｓの場合）はステップＳ６に進む。ステップＳ６ではスピーカ１２からの再生を中止する。
【００２３】
次にステップＳ７に進みＨＤＤ４への記録を継続するか否かをチェックする。ＨＤＤ４への記録を継続しない場合（Ｎｏの場合）は現在記録中の楽曲の、既記録データを消去してステップＳ１０に進む。
【００２４】
また、ステップＳ７でＨＤＤ４への記録を継続する場合（Ｙｅｓの場合）はステップＳ９に進み、ＣＤプレーヤモジュール６の再生速度を高速化してＨＤＤ４に記録する。この場合、従来技術のようにＣＤプレーヤモジュール６からＨＤＤ４への記録は音声加工処理や圧縮処理を行っておらず、また音楽を視聴してもいないので、高速に処理することができるのである。
【００２５】
なお、ステップＳ７でＨＤＤ４への記録を継続するか否かをチェックする意味は、ユーザは必ずしも再生された音楽を最後まで聞かずに中止するとき、この楽曲を聴きたくないと共に記録もしたくない場合と、最初だけ聞いて後は聞かないで記録だけする場合があるためである。
【００２６】
ステップＳ７において、ＨＤＤ４への記録を継続するか否かをチェックするために、本装置全体を制御するマイクロコントローラ（システムマイコン３）は、ユーザ操作部２４からの入力信号を監視する。例えば、ＨＤＤ４への記録を継続しない場合には、ステップＳ５での音声再生を中止する操作を２度押しすることで、システムマイコン３はＨＤＤ４への記録を継続しないと判断するようにすれば良い。なお、この操作は、これに限らず、操作ボタンを設けるなど種々考えられる。
【００２７】
また、ステップＳ５において、音声再生を中止する操作がされていない場合（Ｎｏの場合）はステップＳ１２に進む。ステップＳ１２で、現在の楽曲の再生が終了したか否かがチェックされる。再生が終了していない場合（Ｎｏの場合）にはステップＳ４に戻り処理を継続する。
【００２８】
また、ステップＳ１２で、再生が終了している場合（Ｙｅｓの場合）にはステップＳ１０に進む。
【００２９】
ステップＳ１０において、次の再生すべき楽曲があるか否かがチェックされる。次の楽曲がある場合（Ｙｅｓの場合）にはステップＳ１１で次の楽曲の再生に移行する処理を行いステップＳ４に進み、処理を継続する。
【００３０】
ステップＳ１０において、次の再生すべき楽曲がない場合には本処理は終了（ＥＮＤ）する。
【００３１】
ステップＳ１０、ステップＳ１２での楽曲の再生状態の判断は、ＣＤのＴＯＣ（Table of content）データを読み取ることにより行うことができる。
【００３２】
次に、図３を参照して、ＨＤＤ４の非圧縮音楽データ記録領域Ａｏに記録された非圧縮音楽データから圧縮音楽データを作成してＨＤＤ４の圧縮音楽データ記録領域Ａｃに記録する際に、ＨＤＤの空き容量に応じて圧縮率を変えて記録する動作の詳細を説明する。
【００３３】
この動作はシステムマイコン３の処理負荷が軽くなった空き時間を利用して圧縮処理を行うようにしたもので、図３の例はステップＳ２１においてＣＤプレーヤモジュールの動作が停止したことで空き時間ができたと判断するようにしている。そして、ＣＤプレーヤモジュール６の動作が停止した状態において、タイマー動作により圧縮動作を開始したり、ユーザの判断により任意の時間に圧縮動作を開始したり、夜間などの所定時間帯を利用して圧縮動作を実行することができるようになっている。なお、ステップＳ２１においてＣＤプレーヤモジュールの動作停止を監視する代わりに、システムマイコン３の負荷率を計測して負荷率が小さくなったときに空き時間ができたと判断しても良い。
【００３４】
また、図３の動作フローチャートは、ＨＤＤ４の非圧縮音楽データ記録領域Ａｏに記録された非圧縮音楽データから圧縮音楽データを作成してＨＤＤ４の圧縮音楽データ記録領域Ａｃに記録する際に、ＨＤＤ４の空き容量が残り少ない場合に、空き容量に応じて圧縮音楽データの圧縮率を変えて記録する動作を説明するものである。
【００３５】
ステップＳ２１において、ＣＤプレーヤモジュール６の動作を監視し、動作停止が検知されないとき（Ｎｏの場合）はステップＳ２１においてＣＤプレーヤモジュール６の動作監視を継続する。
【００３６】
ステップＳ２１において、動作停止を検知したとき（Ｙｅｓの場合）はステップＳ２２に進む。ステップＳ２２において、圧縮処理開始が手動か自動化が判定される。手動か自動化はユーザーが前もって設定しておくものとする。ステップＳ２２で自動と判定された場合はステップＳ３２に進む。手動と判定された場合はステップＳ２３に進む。
【００３７】
ステップＳ３２において、ＣＤプレーヤモジュール６の動作停止から圧縮処理開始までのタイマー設定がなされているかチェックする。タイマー設定がなされていない場合（Ｎｏの場合）にはステップＳ３４に進む。ステップＳ２３ではユーザにより手動で圧縮処理開始指令の操作がなされたか否かが監視され、圧縮処理開始指令を検知しない場合（Ｎｏの場合）には継続して圧縮処理開始指令の操作を監視する。
【００３８】
ステップＳ２３において圧縮処理開始指令を検知した場合（Ｙｅｓの場合）にはステップＳ２４に進み、圧縮方式を選択するか否かを判断する。圧縮方式を選択する場合（Ｙｅｓの場合）にはステップＳ２５に進み、圧縮方式を選択して設定する。
【００３９】
次に、ステップＳ２６に進み、ＨＤＤ信号処理手段１８は、ＨＤＤ４の非圧縮音楽データ記録領域Ａｏから非圧縮音楽データファイルＦｏを読み出す。
【００４０】
ステップＳ２６の処理の後、ステップＳ２７に進む。ステップＳ２７において、非圧縮音楽データファイルＦｏを圧縮した場合にＨＤＤ４の空き容量に記録することができるかどうかがチェックされる。この場合、ステップＳ２５、あるいはステップＳ３４で設定された圧縮方式での圧縮率は、圧縮率を特に記載してないが、予めデフォルト値が設定されており、圧縮率を特に変更する必要がない場合にはこのデフォルト値による圧縮率が適用されるようになっている。したがって、ＨＤＤ４の空き容量に記録することができるかどうかをチェックする場合、設定された圧縮方式とデフォルト値による圧縮率を適用してチェックする。
【００４１】
ステップＳ２７において、圧縮音楽データがＨＤＤ４の空き容量に記録することができると判断された場合（Ｙｅｓの場合）にはステップＳ２８に進む。
【００４２】
ステップＳ２８において、ＨＤＤ４の非圧縮音楽データ記録領域Ａｏから読み出された非圧縮音楽データファイルＦｏはＤＡコンバータ８に出力され、ＤＡコンバータ８は、非圧縮音楽データをデジタル信号からアナログ信号に変換する。
【００４３】
次にステップＳ２９に進み、ＡＤコンバータ１３は、ＤＡコンバータ８でアナログ信号に変換された非圧縮音楽データをアナログ信号からデジタル信号に変換する。
【００４４】
次に、ステップＳ３０に進み、圧縮手段２０はＡＤコンバータ１３でデジタル信号に変換された非圧縮音楽データを設定された圧縮方式で圧縮する。
【００４５】
次に、ステップＳ３１において、ＨＤＤ信号処理手段１８はＨＤＤ４の圧縮音楽データ記録領域Ａｃに圧縮音楽データファイルＦｃとして記録する。
【００４６】
圧縮手段２０には各種圧縮方式、例えばＭＰ３（MPEG Audio Layer-3）、ＷＭＡ（Windows(登録商標) Media Audio）、ＡＡＣ（Advanced
Audio Coding）、Ｏｇｇ Ｖｏｒｂｉｓなどのプログラムが記憶されており、設定された圧縮方式に応じて対応するプログラムが呼び出されて圧縮処理を実行するようになっている。また、圧縮方式は、本処理の前にステップＳ２５におけるメニュー操作で設定するか、又はステップＳ３３においてデフォルトで設定されるようになっている。あるいはメニュー操作に変えてこれに対応した操作ボタンを設けておき、ユーザが選択できるようにしても良い。
【００４７】
ステップＳ２７において、圧縮音楽データがＨＤＤ４の空き容量に記録することができないと判断された場合（Ｎｏの場合）にはステップＳ３６に進み、記録可能な圧縮率に変更可能かチェックされる。これは圧縮率を順次大きくしていき、記録可能か否かがチェックされる。
【００４８】
ステップＳ３６において、圧縮率を記録可能な圧縮率に変更することができると判断された場合（Ｙｅｓの場合）にはステップＳ３７に進み、圧縮率を変更してステップＳ２８に進む。以後、上記のステップＳ２８以下の処理が行われる。
【００４９】
ステップＳ３７では、圧縮率を変更すると共に、圧縮率を変更した旨を表示部２５に表示する。この場合、圧縮処理は空き時間を利用して実行されるので、表示部２５の電源がＯＦＦされている可能性もある。そこで、圧縮率を変更した旨の表示は、電源がＯＮされたときに表示するとよい。本発明ではＨＤＤ４に非圧縮の音楽データと、対応する圧縮音楽データが記録されていることを基本とするが、ユーザは電源ＯＮ時の表示を見て、変更された圧縮率が許容できるか判断して、圧縮率が変更された圧縮音楽データの楽曲を許容するか、非圧縮音楽データの楽曲及び圧縮された音楽データの楽曲を記録から削除するか、特例として、圧縮された音楽データの楽曲のみを記録から削除するかを判断することができる。なお、この特例とした楽曲にはマークを付しておき、他の楽曲が削除されてＨＤＤに空き容量ができた場合に再圧縮処理して記録されるようにしておくと良い。この場合に再圧縮処理の結果として再圧縮の圧縮率を表示部２５に表示すればユーザはこれを認識することができる。
【００５０】
また、ステップＳ３６において、圧縮率を記録可能な圧縮率に変更することができないと判断された場合にはステップＳ３８に進み、表示部２５に圧縮データが記録できなかった旨を表示する。この場合も、圧縮処理は空き時間を利用して実行されるので、ステップＳ３７の表示処理と同様に、電源がＯＮされたときに表示するとよい。本発明ではＨＤＤ４に非圧縮の音楽データと、対応する圧縮音楽データが記録されていることを基本とするが、ユーザは電源ＯＮ時の表示を見て、圧縮できなかった対応する非圧縮音楽データの楽曲を記録から削除するか、特例として、非圧縮音楽データの楽曲のみの記録とするかを判断することができる。なお、この特例とした楽曲にはマークを付しておき、他の楽曲が削除されてＨＤＤに空き容量ができた場合に圧縮処理して記録されるようにしておくと良い。この場合に再圧縮処理の結果、圧縮できた場合には表示部２５にその旨を表示するとユーザはこれを認識することができる。
【００５１】
ステップＳ３２において、タイマー設定がなされている場合（Ｙｅｓの場合）にはステップＳ３３に進む。ステップＳ３３においてタイマーがカウントアップしたか否かが監視される。このタイマーの設定値はＣＤプレーヤモジュールの動作が停止してからの時間として設定され、ユーザの判断により任意の値に設定することができるようになっている。このタイマーはシステムマイコン３がソフト的に実行することのできるソフトタイマーとなっている。
【００５２】
ステップＳ３３においてタイマーがカウントアップした場合（Ｙｅｓの場合）にはステップＳ３４に進み、前もって決めておいた圧縮方式がデフォルトで設定される。なお、このデフォルトで設定される圧縮方式はユーザによって変更できるようにしておくことが望ましい。
【００５３】
次にステップＳ２６に進み、上記ステップＳ２６以下の処理を実行する。
【００５４】
ステップＳ２４において、圧縮方式を選択しない場合（Ｎｏの場合）にはステップＳ３４に進み、前もって決めておいた圧縮方式がデフォルトで設定される。次にステップＳ２６に進み、上記ステップＳ２６以下の処理を実行する。
【００５５】
また、ステップＳ３５は圧縮処理時間帯の時刻到来による割り込み発生処理である。ユーザが夜間などのＣＤプレーヤモジュール６を使用する可能性の低い時間帯を圧縮処理のための時間帯として設定しておき、この時間帯の時刻が到来したときに割り込み信号を発生させ、ステップＳ３４以下の処理を実行させるようにしたものである。この圧縮処理時間帯の時刻到来による割り込み発生処理（ステップＳ３５、Ｓ３４、Ｓ２６・・・Ｓ３１）は、タイマー設定による圧縮処理（ステップＳ３３、Ｓ３４・・・）やユーザが任意のタイミングで行う圧縮処理（ステップＳ２３、Ｓ２４・・・）とは無関係に単独で実行させることもできる。
【００５６】
次に、図４を参照して、ＨＤＤ４の圧縮音楽データ記録領域Ａｃに記録された圧縮音楽データの圧縮方式を、後からユーザの好みに応じて変更して記録し直す場合の動作を説明する。
【００５７】
ステップＳ４０において、圧縮開始指令を検知すると、ステップＳ４１に進み圧縮方式を選択する。すなわち、ステップＳ４０において圧縮開始指令を検知すると圧縮方式を選択するメニューが表示部２５に表示され、ユーザはこのメニューからユーザ操作部２４を操作して所望の圧縮方式を選択する。
【００５８】
次に、ステップＳ４２において、ＨＤＤ信号処理手段１８は、ＨＤＤ４の非圧縮音楽データ記録領域Ａｏより非圧縮音楽データファイルＦｏを読み出しＤＡコンバータ８に出力する。ステップＳ４３において、ＤＡコンバータ８は、非圧縮音楽データをデジタル信号からアナログ信号に変換する。次にステップＳ４４に進み、ＡＤコンバータ１３は、ＤＡコンバータ８でアナログ信号に変換された非圧縮音楽データをアナログ信号からデジタル信号に変換する。
【００５９】
次に、ステップＳ４５に進み、圧縮手段２０はＡＤコンバータ１３でデジタル信号に変換された非圧縮音楽データをステップＳ４１で設定された圧縮方式で圧縮し、ＨＤＤ信号処理手段１８はＨＤＤ４の圧縮音楽データ記録領域Ａｃに圧縮音楽データファイルＦｃとして記録する。このとき、以前の圧縮方式で圧縮されて記録されていた古い圧縮音楽データファイルＦｃは削除され、新しい圧縮方式で記録されたファイルが残る。
【００６０】
このように、本実施の形態によれば、ＣＤからの非圧縮音楽データがＨＤＤ４の非圧縮音楽データ記録領域Ａｏに記録されているので、一度圧縮方式を決めて記録した圧縮音楽データファイルＦｃを、後から任意の圧縮方式に変更して記録し直すことができるという効果があり、その場合に非圧縮ファイルから圧縮ファイルを作成するので音質の劣化を防ぐことができる。
【００６１】
次に、図５を参照して、ＨＤＤ４の非圧縮音楽データ記録領域Ａｏに記録された音楽データから高音質な音楽を再生する場合の動作を説明する。
【００６２】
ステップＳ５０において、ユーザがユーザ操作部２４を操作してＨＤＤ４に記録された音楽データの再生指令すると、システムマイコン３はこの指令を受け取り、ＨＤＤ信号処理手段１８はＨＤＤの非圧縮音楽データ記録領域Ａｏより非圧縮音楽データファイルＦｏを読み出し、ＤＡコンバータ８に出力する。ステップＳ５２においてＤＡコンバータ８はＨＤＤ信号処理手段１８からのデジタル信号をアナログ信号に変換する。ＤＡコンバータ８でアナログ信号に変換された音楽データはステップＳ５３において音質、音量が調整され、信号増幅されてスピーカ１２から音響として出力される。ここで、音質調整は音質調整部９で行われ、音量調整は音量調整部１０で行われ、信号増幅は信号増幅部１１で行われる。
【００６３】
本実施の形態によれば、このときの音楽再生はＨＤＤの非圧縮音楽データ記録領域Ａｏより非圧縮音楽データを使って再生するので、高音質の音楽を視聴することができる効果がある。
【００６４】
次に、図６を参照して、ＨＤＤ４の圧縮音楽データ記録領域Ａｃに記録された圧縮音楽データを外部オーディオ機器の記録手段２１に転送して記録するときの動作を説明する。
【００６５】
ステップＳ６０において外部オーディオ機器２が音楽データ記録再生装置１に接続され、ステップＳ６１において、ユーザ操作部からの外部オーディオ機器２への音楽データ転送指令が入力されると、ＨＤＤ信号処理手段１８はＨＤＤ４の圧縮音楽データ記録領域Ａｃに記録された圧縮音楽データファイルＦｃを呼び出し、外部機器接続インターフェース５を介して外部オーディオ機器２へ出力する。外部オーディオ機器２は、外部機器接続インターフェース５を介して入力された圧縮音楽データを記録手段２１に圧縮音楽データファイルＦｃ’として記録する。したがって、この圧縮音楽データファイルＦｃ’は圧縮音楽データファイルＦｃを転送してコピーされたものとなり、外部オーディオ機器２を切り離して、外部オーディオ機器２単独で屋外などに携帯して、音楽データ記録再生装置１に記録されたものと同じ音楽を楽しむことができる。
【００６６】
本実施の形態によれば、このときの圧縮音楽データファイルＦｃ’として記録された音楽データは元のＣＤに記録された音楽データを一旦アナログの音楽データに変換した後圧縮しているので、ＳＣＭＳに従った音楽データの２次利用の仕方ができる効果がある。また、圧縮された圧縮音楽データなので高速に転送でき、短時間に転送を完了させることができる効果がある。なお外部オーディオ機器２内に記録したファイルＦｃ’はデジタルファイルのまま読み出すことはできない構造にしておき、デジタル信号の２回目のコピーを許さないというＳＣＭＳの条件を満たすようにしておく。
【００６７】
なお、本実施の形態における音楽データ記録再生装置１は非圧縮音楽データ記録領域Ａｏに記録した音楽データをスピーカ１２で再生することにより元の高音質を容易に再現することができるが、圧縮音楽データ記録領域Ａｃに記録した音楽データを伸長手段１９で伸長してスピーカ１２で再生することもできる。但しこの場合には元の高音質を再現することはできない。
【００６８】
次に、図７を参照して、ＣＤプレーヤモジュール６で再生された音楽データを非圧縮音楽データとしてＨＤＤ４の非圧縮音楽データ記録領域Ａｏに記録させる際に、ＨＤＤの空き容量に応じて記録する動作の詳細を説明する。
【００６９】
まず、ステップＳ７０において、ＣＤプレーヤモジュール６にＣＤをセットして再生を開始する。ステップＳ７１において、システムマイコン３は、ＣＤ信号処理部７を介して読み込んだＣＤのＴＯＣデータから、これから記録すべきＣＤの音楽データの記録容量を推定する。
【００７０】
ステップＳ７２において、ＨＤＤ４の空き容量をチェックする。ステップＳ７３において、ステップＳ７１で推定したＣＤの音楽データの記録容量とＨＤＤ４の空き容量を比較する。この比較の結果、十分な空き容量がＨＤＤ４に残っている場合（Ｎｏの場合）にはステップＳ７４に進む。
【００７１】
ステップＳ７４では、ＣＤプレーヤモジュール６からの音楽データを連続なＰＣＭデータに変換し、非圧縮音楽データとしてＨＤＤ４の非圧縮音楽データ記録領域Ａｏに記録する。
【００７２】
また、ステップＳ７３において、比較の結果、記録すべきＣＤの音楽データの記録容量に対し、ＨＤＤ４の容量が不足している場合（Ｙｅｓの場合）にはステップＳ７５に進む。ステップＳ７５において、システムマイコン３は、ＨＤＤ４が容量不足であることを表示部２５に表示させる。
【００７３】
（第２の実施の形態）
次に、図８に本発明の第２の実施形態である音楽データ記録再生装置３１の構成図を示す。
【００７４】
図８の構成図は、第１の実施形態の図１に示した構成図に対し、音楽データを再生できるモジュールを複数備えている点が異なっている。すなわち、第１の実施の形態では、音楽データを再生できるモジュール（音楽データ再生部）がＣＤプレイヤーモジュール６のみであったが、本実施の形態では、ＭＤプレイヤーモジュール３２、ＡＭ／ＦＭチューナーモジュール３３、外部アナログ信号入力部３４、及びこれらからのアナログ信号をデジタル信号に変換するＡＤコンバータ３５を備えている。また、外部デジタル信号入力部３６を備えており、インターネットや各種外部デジタル機器からデジタル信号を取り込むことができるようになっている。
【００７５】
ＭＤプレイヤーモジュール３２、ＡＭ／ＦＭチューナーモジュール、外部アナログ信号入力部３４からのアナログの音楽データはＡＤコンバータ３５でデジタルの音楽データに変換される。ＨＤＤ信号処理手段１８は、ＡＤコンバータ３５からの音楽データをＨＤＤ４の非圧縮音楽データ記録領域Ａｏに記録する。また、外部デジタル信号入力部３６からの音楽データをＨＤＤ４の非圧縮音楽データ記録領域Ａｏに記録する。このＨＤＤ４の非圧縮音楽データ記録領域Ａｏに記録された音楽データは、第１の実施の形態における、ＣＤプレーヤモジュール６からＨＤＤ４の非圧縮音楽データ記録領域Ａｏに記録した音楽データと同じに取り扱われる。したがってその他の説明は第１の実施の形態と同様なので詳細な説明は省略する。
【００７６】
（その他の実施の形態）
上記実施の形態では、内部の音楽データ記録手段としてＨＤＤ４を例に説明したが、半導体メモリや光／磁気記録手段など、読み書きができる記録媒体を備えた記録手段をＨＤＤ４に代えて使用することができる。
【００７７】
また、上記ＤＡコンバータ８は、ＣＤ信号処理部７から入力されるデジタル信号、ＨＤＤ信号処理手段１８から入力されるデジタル信号、伸長手段１９から入力されるデジタル信号に対して共通のＤＡコンバータとなっているが、これらを個別のＤＡコンバータとしても良い。
【００７８】
また、ＨＤＤ信号処理手段１８は、ＣＤ信号処理部７、ＤＡコンバータ８、伸長手段１９、圧縮手段２０、ＡＤコンバータ３５、外部デジタル信号入力部３６のそれぞれとＨＤＤ４間の処理を行う手段である。上記実施の形態では、このＨＤＤ信号処理手段１８として纏めて１つの手段としているが、これらはシステムマイコン３により実行される処理手段であり、仮想的にそれぞれ個別の手段に分解して考えることもできる。
【００７９】
また、ＣＤプレーヤモジュールからの再生信号は非圧縮状態の音楽データとして説明したが、記録媒体がＣＤであるＣＤプレーヤモジュールの代わりに、圧縮された音楽データが記録されたＭＤを記録媒体としたＭＤプレーヤモジュールなどとすることもできる。この場合、ＭＤに記録された圧縮された音楽データは、一旦、伸長手段で非圧縮状態の音楽データとしてから非圧縮音楽データ記録領域Ａｏに記録し、上記実施の形態と同様に実施することができる。圧縮された音楽データが記録されているプレーヤとしてはＭＤプレーヤモジュールの他に半導体メモリに記録される音楽プレーヤなども考えられる。
【００８０】
上記実施の形態における、記録媒体の容量が不足した場合に圧縮率を変えて記録することは、ＨＤＤ４にＣＤプレイヤーモジュール６からの音楽データを直接圧縮して記録する特開２００４−４６９５９号公報のような圧縮データのみ記録する従来技術にも応用することができる。この場合、記録媒体の容量を記録開始前にチェックすることにより、ＣＤに記録されたデータが記録できるように圧縮率を高めて記録すればよい。
【００８１】
以上、説明したように、本実施の形態によれば、ＣＤプレーヤモジュール６からの音楽データは、非圧縮音楽データとしてＨＤＤ４の非圧縮音楽データ記録領域Ａｏに非圧縮音楽データファイルＦｏとして記録されると共に、非圧縮音楽データファイルＦｏに対応した圧縮音楽データファイルＦｃが空き時間を利用して圧縮音楽データ記録領域Ａｃに記録される。
この場合、一度圧縮音楽データファイルＦｃを記録しても、非圧縮音楽データファイルＦｏから再度圧縮音楽データファイルＦｃを記録し直すことができ、したがって、記録し直すときに、圧縮方式を任意に変えることができる。
また、ＨＤＤ４の空き容量をチェックして、圧縮率を変えたりすることが任意に行える。
また、非圧縮音楽データファイルＦｏが記録されているので、この非圧縮音楽データファイルＦｏから音楽を再生することにより、高音質の音楽を視聴することができる。
また、圧縮音楽データファイルＦｃが記録されているので、外部オーディオ機器に高速に転送することができる。
【００８２】
以上、本発明を、具体的な実施の形態により説明したが、本発明は上記実施の形態には限定されない。本発明の要旨を変更しない範囲で適宜実施の形態を変更して実施できる。
【産業上の利用可能性】
【００８３】
本発明は、ＣＤ、ＭＤ、ＤＶＤ、ＡＭ／ＦＭラジオ、テレビなどの音楽データを記録／再生する音楽データ記録再生装置に広く利用できる。
【図面の簡単な説明】
【００８４】
【図１】本発明による音楽データ記録再生装置の第１実施の形態を示した図である。
【図２】本発明による音楽データ記録再生装置の動作フローチャートである（ＣＤプレーヤモジュール６で再生された音楽データをスピーカ１２で音声再生すると共に非圧縮音楽データとしてＨＤＤ４の非圧縮音楽データ記録領域Ａｏに記録させる動作を示している）。
【図３】本発明による音楽データ記録再生装置の動作フローチャートである（ＨＤＤ４の非圧縮音楽データ記録領域Ａｏに記録された非圧縮音楽データから圧縮音楽データを作成してＨＤＤ４の圧縮音楽データ記録領域Ａｃに記録する際に、ＨＤＤの空き容量に応じて圧縮率を変えて記録する動作を示している）。
【図４】本発明による音楽データ記録再生装置の動作フローチャートである（ＨＤＤ４の圧縮音楽データ記録領域Ａｃに記録された圧縮音楽データの圧縮方式を、後からユーザの好みに応じて変更して記録し直す場合の動作を示している）。
【図５】本発明による音楽データ記録再生装置の動作フローチャートである（ＨＤＤ４の非圧縮音楽データ記録領域Ａｏに記録された音楽データから高音質な音楽を再生する場合の動作を示している）。
【図６】本発明による音楽データ記録再生装置の動作フローチャートである（ＨＤＤ４の圧縮音楽データ記録領域Ａｃに記録された圧縮音楽データを外部オーディオ機器の圧縮音楽データ記録領域２３に転送して記録するときの動作を示している）。
【図７】本発明による音楽データ記録再生装置の動作フローチャートである（ＣＤプレーヤモジュール６で再生された音楽データを非圧縮音楽データとしてＨＤＤ４の非圧縮音楽データ記録領域Ａｏに記録させる際に、ＨＤＤの空き容量に応じて記録する動作を示している）。
【図８】本発明による音楽データ記録再生装置の第２実施の形態を示した図である。
【符号の説明】
【００８５】
１、３１・・・音楽データ記録再生装置
２・・・外部オーディオ機器
３・・・システムマイコン
４・・・ＨＤＤ(ハードディスク）
５・・・外部機器接続インターフェース
６・・・ＣＤプレーヤモジュール
７・・・ＣＤ信号処理部
８・・・ＤＡコンバータ
９・・・音質調整部
１０・・・音量調整部
１１・・・信号増幅部
１２・・・スピーカ
１３、３５・・・ＡＤコンバータ
１８・・・ＨＤＤ信号処理手段
１９・・・伸長手段
２０・・・圧縮手段
２１・・・記録手段
２４・・・ユーザ操作部
２５・・・表示部
３２・・・ＭＤプレイヤーモジュール
３３・・・ＡＭ／ＦＭチューナーモジュール
３４・・・外部アナログ信号入力部
３６・・・外部デジタル信号入力部
Ａｏ・・・非圧縮音楽データ記録領域
Ａｃ・・・圧縮音楽データ記録領域
Ｆｏ・・・非圧縮音楽データファイル
Ｆｃ・・・圧縮音楽データファイル
Ｆｃ’・・・圧縮音楽データファイル
Ｆｐ・・・音楽データファイル
【図１】
2007149165.tif 000003
【図２】
2007149165.tif 000004
【図３】
2007149165.tif 000005
【図４】
2007149165.tif 000006
【図５】
2007149165.tif 000007
【図６】
2007149165.tif 000008
【図７】
2007149165.tif 000009
【図８】
2007149165.tif 000010